(57)【要約】      （修正有）【課題】取付け方法が簡便で、安定した状態で保持され、重量が肩・腰・背中に分散した状態で、スキーやスノーボードを背負い歩行できる。【解決手段】本体胴部の正面長手方向に、複数の隆起部を有する帯バンドを、左右二列に配して設け、二列の帯バンドの上下少なくとも二箇所の隆起部に、尾錠を備えたリュックサックに、輪状に連結可能に連結具を備えるとともに、背面に二片の吊るしバンドを設けた固定ベルトを取付け、また、本体胴部の正面と、本体背面とを締付け可能に、尾錠を備えた帯バンド隆起部の位置とかけ離れていない近所の側方位置に、緊締バンドを設け、さらに、輪状に連結可能な固定ベルトの内面に滑止め地を止着している。【選択図】図３
0003101462.tif 000002
【実用新案登録請求の範囲】
【請求項１】
本体胴部１の正面２に、複数の隆起部３を有する帯バンド４を左右二列に配して設け、該二列の帯バンドの上下少なくとも二箇所の隆起部に、尾錠５を備えたリュックサックに、
輪状に連結可能に連結具１４を備えるとともに、背面に二片の吊るしバンド１３ａ，１３ｂを植立する形で設けた固定バンド１１を、着脱自在に取付け構成されたことを特徴とするリュックサック。
【請求項２】
本体胴部１の正面２と、肩ベルト８が取付けられている背面とを締付け可能に、尾錠５を備えた帯バンド隆起部の位置とかけ離れていない近所の側方位置に、緊締バンド６を少なくとも二個所設けた請求項１記載のリュックサック。
【請求項３】
輪状に連結可能に連結具１４を備えた固定バンド１１の内面に滑り止め効果を有する生地１２を止着した請求項１記載のリュックサック。
【考案の詳細な説明】
【考案の詳細な説明】
【技術分野】
【０００１】  本考案は登山やハイキングに使用されるリュックサック関するものであって、特にスキーやスノーボードを取付けて背負い歩行するに適するリュックサックを提供しようとするものである。
【背景技術】
【０００２】  従来、スキーやスノーボードを背負ってツアーなどに出かけるときは、例えば、別ケースに収め肩に担ぐなどの方法を運搬手段としていた。
しかし、この方法では少なくとも片方の手、時には両方の手で常時押さえていなければならないため、歩行中、滑ったときなど手が使えずすこぶる不便である。
そのため、スキーやスノーボードを取付け運搬できるリュックサックが数種販売されているが、これらの従来品は、その取付けが仰々しいものであったり、或いは取付けが複雑であるなどの欠点があり満足できなかった。
【考案が解決しようとする課題】
【０００３】  したがって本考案では、スキーやスノーボードを取付ける方法が簡便で、しかも一旦取付けられたスキーやスノーボードは安定した状態で保持され、且つ、後方に引かれることなく、肩・腰・背中に負荷が分散した状態で背負い運搬できるリュックサックを提供しようとするものである。
【課題を解決するための手段】
【０００４】  本考案のリュックサックは前記目的を達成するため、輪状に連結可能に連結具を備え、背面に二片の吊るしバンドを植立する形で取付けた固定バンドを、
複数の隆起部を有する帯バンドを、本体胴部の正面に、左右二列に配して設け、この二列の、帯バンドの隆起部の少なくとも上下二個所に備えた尾錠に取付け係止してなるものである。
【０００５】  そして、本体胴部の正面と、肩ベルトが取付けられている背面とを締付け可能に、締め具を備えた緊締バンドを、尾錠を備えた隆起部の位置とかけ離れていない近所の側方位置に設けている。
【０００６】  また、輪状に連結可能に連結具を備えた固定バンドの内周面に、滑り止め効果を有する生地を止着している。
【考案を実施するための最良の形態】
【０００７】  本考案の実施の形態を実施例に基づき図面を参照して説明する。
図１において、リュックサック本体胴部１正面２の長手方向に、適宜な間隔を有して左右二列に配し、略半円状を呈する複数の隆起部３を有する帯バンド４を止着し、この二列の帯バンド４の上下少なくとも二箇所の隆起部に尾錠５を取付けている。
尚、図中、符号７は腰ベルトを示している。【０００８】  さらに、本体胴部１の正面２と、肩ベルト８が取付けられている背面とを締つけ可能にするために、尾錠５を備えた帯バンド４の隆起部３の位置とかけ離れていない近所の側方位置に、連結具を備えた緊締バンド６を設けている。
尚、本図では、下方の緊締バンドは、位置関係を分かりやすくするため、尾錠５の取付け位置と離した位置に描いてある。【０００９】  図２において、固定ベルト１１は略中央部で輪状に連結可能に連結具１４を備え、その両端末１５は、輪状を呈する形で止着処理されるとともに、背面に、二片の吊るしバンド１３ａ，１３ｂを、前記帯バンドの間隔に合わせて植立する形で取付け、この二片の吊るしバンドを帯バンドの隆起部に備えられた尾錠５に止着される。【００１０】  また、この固定バンド１１の内周には、取付けたスキーやスノーボードが安定した状態を保持するように滑り止め効果を有する生地１２を止着している。【００１１】    図３において、以上説明の本考案にスキーを取付けて使用した状態を示していて、取付けられたスキーはリュックサックに密着した状態で保持されている。
【考案の効果】
【００１２】  本考案は、本体胴部の正面に左右二列に配して、隆起部有する帯バンドを設け、該二列の帯バンドの上下少なくとも二箇所の前記隆起部に尾錠を備えたリュックサックと、
輪状に連結可能に連結具を備えるとともに、背面に二片の吊るしバンドを植立した形で設けた帯バンドとから構成されたものであること。
また、本体胴部の正面と背面とを締付け可能に、尾錠を備えた隆起部の位置とかけ離れていない近所の側方位置に緊締バンドを設けていること。
さらに、輪状に連結可能な固定バンドの内面に、滑り止め効果を有する生地布を止着して構成されていること。
を特徴としているので、以下に記載の効果を奏するものである。
【００１３】  スキーやスノーボードを取付ける固定バンドの内周には、滑り止め効果を有する生地を止着しているので、取付けられたスキーやスノーボードは安定した状態を保持する。
【００１４】  スキーなどを取付けた本体胴部の正面と背面との距離間を縮める緊締バンドを、帯バンドの尾錠位置とかけ離れていない近所の側方位置に設けているので、背負った重さが後方に引かれることなく体に密着し、もって、負荷が背中・腰・肩部に分散するので疲労感無く背負うことができる。
【００１５】  リュックサック本体胴部の正面に取付けられる固定バンドに、スキーを取付けるには、スキーを巻込むような形で入れ、連結具で該バンドを輪状に連結、両端末をそれぞれ反対方向に引張るだけの極めて簡単な作業で取付けが完了するので、例えば、吹雪の中でも短時間に行なえる効果を奏する。
【図面の簡単な説明】
【図１】本考案リュックサックを示す図である。
【図２】図１のリュックサックにスキーなどを取付ける取付け用の固定バンド。
【図３】本考案品のリュックサックにスキーを取付けた使用例を示す図である。
【符号の説明】
１本体胴部    ２正面    ３隆起部    ４帯バンド    ５尾錠    ６緊締バンド
７腰ベルト    ８肩ベルト    １１固定バンド    １２滑止め生地
１３ａ，１３ｂ吊るしバンド    １４連結具    １５端末
【図１】
0003101462.tif 000003
【図２】
0003101462.tif 000004
【図３】
0003101462.tif 000005